(57)【要約】【課題】基礎部材と設置面との接触面積の変動を抑え、安定性を高めることが可能な表示装置を提供する。【解決手段】基礎部材１１を、前方の辺１１Ａで設置面Ｐに接触させると共に設置面Ｐに対して前後方向に傾斜させ、後方の辺１１Ｂを支持部材１２により支持させる。本体部１の重量如何にかかわらず、基礎部材１１と設置面Ｐとの接触部分は基礎部材１１の前方の辺１１Ａに限られる。基礎部材１１と設置面Ｐとの接触面積の変動が抑えられ、安定性が向上する。【選択図】図３
2012168435.tif 000002
【特許請求の範囲】
【請求項１】
本体部および前記本体部を設置面上において支持するスタンドを有し、
前記スタンドは、
板状の基礎部材を備え、前記基礎部材は、前方の辺で前記設置面に接していると共に前記設置面に対して前後方向に傾斜している基礎部と、
前記基礎部および前記本体部を結合する連結部と
を備えた表示装置。
【請求項２】
前記連結部は、前記本体部側の第１取付部と、前記基礎部側の第２取付部との間に、中継部を有し、
前記中継部は、前記設置面に対して前後方向に傾斜している
請求項１記載の表示装置。
【請求項３】
前記連結部は、前記本体部側の第１取付部と、前記基礎部側の第２取付部との間に、中継部を有し、
前記中継部は、前記設置面に対して垂直である
請求項１記載の表示装置。
【請求項４】
前記連結部は、板状部材により構成されている
請求項１記載の表示装置。
【請求項５】
前記スタンドは、前記連結部の前記第１取付部または前記第２取付部に、前記本体部を俯仰方向および左右方向に回動させる回動機構を備えた
請求項２記載の表示装置。
【請求項６】
前記基礎部は、前記基礎部材の前方の辺以外の位置を支持する支持部材を備えた
請求項１記載の表示装置。
【請求項７】
前記支持部材は、前記回動機構を収容する回動機構収容部を有し、
前記連結部の第２取付部は、前記回動機構収容部部内に収容された前記回動機構に取り付けられている
請求項６記載の表示装置。
【請求項８】
前記支持部材は、左方または右方の側面に、前記本体部に付属する機器を脱着可能に収納する付属機器収納部を有する
請求項６記載の表示装置。
【請求項９】
前記基礎部材は透明板により構成され、
前記支持部材は、前方の側面に、前記基礎部材を介して信号を送信または受信するセンサ部を有する
請求項６記載の表示装置。
【請求項１０】
前記基礎部材に、前記本体部の動作状態を表示するインジケータが設けられている
請求項１記載の表示装置。
【請求項１１】
前記基礎部材はガラス板により構成されている
請求項１記載の表示装置。
【発明の詳細な説明】
【技術分野】
【０００１】
本開示はテレビジョン装置などの表示装置に関する。
【背景技術】
【０００２】
テレビジョン装置などの表示装置は、画像表示を行う本体部を設置面上に支持するスタンドを備えている。スタンドは、例えば、ベースフレーム（基礎部材）の中央部に支柱を立てた構成を有しており、この支柱の上端に本体部が取り付けられるようになっている（例えば、特許文献１参照。）。
【先行技術文献】
【特許文献】
【０００３】
【特許文献１】特許第４３１４２９５号明細書
【発明の概要】
【発明が解決しようとする課題】
【０００４】
しかしながら、このような従来構成では、ベースフレームの全面が設置面に接していたので、ベースフレームの支柱が立てられている部分には、他の部分に比べて非常に大きな荷重がかかり、ベースフレームと設置面との接触面積が変動しやすくなるおそれがあった。この問題は、本体部の大型化による重量の増大に伴って、更に顕著なものとなっていた。
【０００５】
本開示の目的は、基礎部材と設置面との接触面積の変動を抑え、安定性を高めることが可能な表示装置を提供することにある。
【課題を解決するための手段】
【０００６】
本開示による表示装置は、本体部および本体部を設置面上において支持するスタンドを有し、スタンドは、以下の（Ａ），（Ｂ）の構成要素を備えたものである。
（Ａ）板状の基礎部材を備え、基礎部材は、前方の辺で設置面に接していると共に設置面に対して前後方向に傾斜している基礎部
（Ｂ）基礎部および本体部を結合する連結部
【０００７】
本開示の表示装置では、基礎部材が、前方の辺で設置面に接していると共に設置面に対して前後方向に傾斜しているので、本体部の重量如何にかかわらず、基礎部材と設置面との接触接触部分は基礎部材の前方の辺に限られる。よって、基礎部材と設置面との接触面積の変動が抑えられ、安定性が向上する。
【発明の効果】
【０００８】
本開示の表示装置によれば、基礎部材を、前方の辺で設置面に接触させると共に設置面に対して前後方向に傾斜させるようにしたので、基礎部材と設置面との接触面積の変動を抑え、安定性を高めることが可能となる。
【図面の簡単な説明】
【０００９】
【図１】本開示の一実施の形態に係る表示装置を前面側から見た外観を表す正面図である。
【図２】図１に示した表示装置を背面側から見た外観を表す斜視図である。
【図３】図１に示した表示装置の側面図である。
【図４】図３に示した表示装置をＩＶ−ＩＶ線で切り欠いて表す斜視図である。
【図５】図４に示した回動機構によるチルト動作およびスイーベル動作を説明するための断面図である。
【図６】変形例１に係る表示装置を背面側から見た外観を表す斜視図である。
【図７】図６に示した表示装置の側面図である。
【図８】図７のＶＩＩＩ−ＶＩＩＩ線における断面図である。
【図９】変形例２に係る表示装置のスタンドを背面側から見た外観を表す斜視図である。
【図１０】図９に示した表示装置のスタンドの側面図である。
【図１１】変形例３に係る表示装置のスタンドの外観を表す側面図である。
【図１２】図１１に示したスタンドの変形例を表す側面図である。
【図１３】変形例４に係る表示装置の一部を前面側から見た構成を表す斜視図である。
【図１４】変形例５に係る表示装置の一部を側面側から見た構成を表す斜視図である。
【図１５】変形例６に係る表示装置の一部を前面側から見た外観を表す斜視図である。
【図１６】図１５に示したインジケータの構成を説明するための図である。
【発明を実施するための形態】
【００１０】
以下、本開示の実施の形態について図面を参照して詳細に説明する。なお、説明は以下の順序で行う。
１．実施の形態（基礎部材、支持部材の上面の一部を覆っている例）
２．変形例１（基礎部材が、支持部材の上面全体を覆っている例）
３．変形例２（回動機構が本体部の背面に設けられ、連結部の中継部が設置面に対して前後方向に傾斜している例）
４．変形例３（回動機構が本体部の背面に設けられ、連結部の中継部が設置面に対して垂直である例）
５．変形例４（支持部材の前面に、センサ部が設けられている例）
６．変形例５（支持部材の側面に、本体部に付属する機器を脱着可能に収納する収納部が設けられている例）
７．変形例６（基礎部材に、本体部の動作状態を表示するインジケータが設けられている例）
【００１１】
図１，図２および図３は、本開示の一実施の形態に係る表示装置を前面側，背面側および側面側から見た外観をそれぞれ表したものである。この表示装置は、例えばテレビジョン装置として用いられるものであり、画像表示を行う本体部１をスタンド２により水平な設置面Ｐ上に支持した構成を有している。以下の説明においては、本体部１の左右方向をｘ方向、本体部１の上下方向をｙ方向、本体部１の厚み方向（前後方向）をｚ方向とする。
【００１２】
本体部１は、例えば液晶表示パネルよりなる表示パネル１Ａを有している。表示パネル１Ａの前面中央部には、表示画面１Ｂが設けられている。表示画面１Ｂの周縁部は、枠状の額縁部１Ｃとなっている。表示パネル１Ａの背面は背面カバー１Ｄにより被覆されている。
【００１３】
スタンド２は、設置面Ｐ上に設けられた基礎部１０と、この基礎部１０および本体部１を結合する連結部２０とを備えている。
【００１４】
基礎部１０は、板状の基礎部材１１を有している。この基礎部材１１は、前方の辺１１Ａで設置面Ｐに接していると共に、設置面Ｐに対して前後方向に傾斜している。具体的には、基礎部材１１と設置面Ｐとの接触部分は前方の辺１１Ａのみであり、後方の辺１１Ｂは支持部材１２により支持されている。基礎部材１１のうち前方の辺１１Ａおよび後方の辺１１Ｂ以外の部分は、設置面Ｐとは離間している（設置面Ｐから浮いた状態となっている）。これにより、この表示装置では、基礎部材１１と設置面Ｐとの接触面積の変動を抑え、安定性を高めることが可能となっている。
【００１５】
基礎部材１１は、例えば、ガラス板またはアクリル等の樹脂板などの透明板により構成されていることが好ましい。これにより、基礎部材１１の裏側が透けて見え、基礎部材１１が設置面Ｐから浮いた状態となっていることが視覚的に明瞭となるので、浮遊感や軽快感を生じさせることが可能となる。よって、ガラス板または樹脂板の透明性が存分に活かされ、基礎部材１１の傾斜による視覚的・デザイン的な優位性を高めることが可能となる。
【００１６】
基礎部材１１は、例えば、厚みが１０ｍｍ程度であり、二枚のガラス板を重ね合わせた、いわゆる合わせガラスにより構成されていることが好ましい。一枚のガラス板が破損しても、他のガラス板により破損したガラス板を支持することが可能となり（防爆対策）、安全性を著しく高めることが可能となる。また、従来では防爆対策として必ずガラス板の下面に金属板を敷くようにしていたが、本実施の形態ではその必要はなくなり、透明なガラス板それ自体を基礎部材１１として使用することが可能となる。
【００１７】
基礎部材１１の設置面Ｐに対する傾斜角度αは、本体部１の重量にもよるが、例えば７°前後であることが好ましい。これにより、連結部２０が本体部１の前方（表示画面１Ｂ側）から見えにくくすることが可能となる。
【００１８】
支持部材１２は、基礎部材１１の前方の辺１１Ａ以外の位置、例えば後方の辺１１Ｂを支持するものであり、例えばアルミニウム（Ａｌ）などの金属により構成されている。支持部材１２は、また、金属部品と樹脂部品との組合せにより構成されていてもよい。
【００１９】
具体的には、支持部材１２は、基礎部材１１の後方の辺１１Ｂを保持する前部１２Ａと、基礎部材１１によって被覆されていない後部１２Ｂとを有している。後部１２Ｂの中央部には、後述する回動機構３０を収容するための貫通孔として、円筒状の回動機構収容部１２Ｃが設けられている。後部１２Ｂの回動機構収容部１２Ｃ以外の部分は、例えば傾斜面となっているが、後部１２Ｃの形状は特に傾斜面には限定されない。
【００２０】
支持部材１２の前部１２Ａと連結部材２０の第２取付部２２との間には、例えばアルミニウム（Ａｌ）よりなる補強部材１２Ｄが設けられている。補強部材１２Ｄは、前部１２Ａと共に基礎部材１１の後方の辺１１Ｂを挟み込み、本体部１の重みにより基礎部材１１の後方の辺１１Ｂに負荷がかかるのを回避するものである。支持部材１２の前部１２Ａと補強部材１２Ｄとは、ねじ孔１２Ｅ（図１ないし図３には図示せず、図４参照）に設けられたねじ（図示せず）により固定されている。
【００２１】
連結部２０は、本体部１側の第１取付部２１と、基礎部１０側の第２取付部２２との間に中継部２３を有する板状部材である。第１取付部２１は、本体部１の背面に、ねじ等により固定されており、確実な固定のため中継部２３よりも幅広とされている。第２取付部２２は、回動機構収容部１２Ｃに収容された回動機構３０（図１ないし図３には図示せず、図４参照。）に、ねじ等により固定されている。
【００２２】
中継部２３は、設置面Ｐに対して前後方向に傾斜していることが好ましい。本体部１の左右方向における強度を強くすることが可能となるからである。
【００２３】
図４は、図３に示した表示装置を、連結部２０の左右方向中心線で切断し、支持部材１２および回動機構３０の構成を表したものである。
【００２４】
回動機構収容部１２Ｃには、上述したように、回動機構３０が埋め込まれている。回動機構３０は、本体部１を左右方向に回動させるスイーベル機構３１と、本体部１を俯仰方向に回動させるチルト機構３２とを有している。このように回動機構３０を基礎部材１１の後方に配置することにより、連結部２０に回動機構３０を組み込む必要がなくなる。よって、連結部２０を板状部材としてスリムな側面形状を持たせると共に、回動機構３０によって本体部１のチルト動作およびスイーベル動作を行わせることが可能となり、意匠性と機能性とを両立させることが可能となる。
【００２５】
スイーベル機構３１は、設置面Ｐ側から順に、スイーベル固定部材３１Ａと、スイーベル可動部材３１Ｂとを備えている。一方、チルト機構３２は、チルト部材３２Ａを有している。
【００２６】
スイーベル固定部材３１Ａは、中央にスイーベル回動軸３１Ｃとなる凸部３１Ｄを有していると共に、図４には図示していない位置で、ねじ等により支持部材１２に固定されている。なお、図４では、回動機構収容部１２Ｃが貫通孔であり、スイーベル固定部材３１Ａの下面が設置面Ｐに接している場合を表しているが、回動機構収容部１２Ｃは貫通孔ではなく凹部でもよい。その場合、スイーベル固定部材３１Ａの下面は回動機構収容部１２Ｃの凹部の底面に接する。
【００２７】
スイーベル可動部材３１Ｂは、スイーベル固定部材３１Ａ上の横部３１Ｅと、この横部３１Ｅから直立した縦部３１Ｆとを有する断面Ｌ字形の部材である。横部３１Ｅの中央には、段差３１Ｇが設けられている。この段差３１Ｇは、スイーベル固定部材３１Ａおよびスイーベル可動部材３１Ｂをかしめるナット（図示せず）が嵌め込まれる部分である。縦部３１Ｆは、スイーベル回動軸３１Ｃの両側に設けられている。各縦部３１Ｆは、チルト部材３２Ａとの連結のため、円形のねじ孔３１Ｈ，３１Ｉをそれぞれ有している。
【００２８】
このようなスイーベル可動部材３１Ｂは、例えば図５に示したように、スイーベル回動軸３１Ｃを中心として、スイーベル固定部品３１Ａとスイーベル可動部品３１Ｂとの境界面であるスイーベル回動面３１Ｊで滑りながら矢印Ｒ１方向に回動する。これに伴って、チルト部材３２Ａ，連結部２０および本体部１が矢印Ｒ１方向にスイーベル動作を行うようになっている。なお、スイーベル固定部材３１Ａおよびスイーベル可動部材３１Ｂには、図示しないが、本体部１のスイーベル角度範囲を規制するための構造（図示せず）が設けられていることが望ましい。
【００２９】
一方、図４に示したチルト部材３２Ａは、連結部２０の第２取付部２２下の横部３２Ｂと、この横部３２Ｂから下方に屈曲した縦部３２Ｃとを有する断面Ｌ字形の部材である。横部３２Ｂは、ねじ３２Ｄにより、連結部２０の第２取付部２２に固定されている。縦部３２Ｃは、スイーベル回動軸３１Ｃの両側に設けられている。本体部１に近い側（図４では左側）の縦部３２Ｃは、円形のねじ孔３２Ｅを有している。このねじ孔３２Ｅと、スイーベル可動部材３１Ｂの左側の縦部３１Ｆのねじ孔３１Ｈとには、チルト回動軸３２Ｆとなるねじ（図示せず）が螺動可能に連通されている。本体部１から遠い側（図４では右側）の縦部３２Ｃは、円弧状の長孔３２Ｇを有している。この長孔３２Ｇと、スイーベル可動部材３１Ｂの右側の縦部３１Ｆのねじ孔３１Ｉとには、チルト可動側のねじ（図示せず）が連通されている。
【００３０】
このようなチルト部材３２Ａは、例えば図５に仮想線で示したように、スイーベル可動部材３１Ｂの右側の縦部３１Ｆのねじ孔３１Ｉに挿通されたねじ（図示せず）が長孔３２Ｇ内で移動することにより、チルト回動軸３２Ｆを中心として、矢印Ｒ２方向に回動する。これに伴って、同じく図５に仮想線で示したように、連結部２０および本体部１が矢印Ｒ３方向にチルト動作を行うようになっている。長孔３２Ｇの長さは、例えば、本体部１のチルト角度範囲が０°（鉛直）から後方に６°となるよう設定されている。
【００３１】
この表示装置では、本体部１の表示パネル１Ａにより、表示画面１Ｂに所望の画像が表示される。ここでは、基礎部材１１が、前方の辺１１Ａで設置面Ｐに接していると共に設置面Ｐに対して前後方向に傾斜しているので、本体部１の重量如何にかかわらず、基礎部材１１と設置面Ｐとの接触部分は基礎部材１１の前方の辺１１Ａに限られる。よって、基礎部材１１と設置面Ｐとの接触面積の変動が抑えられ、安定性が向上する。
【００３２】
このように本実施の形態では、基礎部材１１を、前方の辺１１Ａで設置面Ｐに接触させると共に設置面Ｐに対して前後方向に傾斜させるようにしたので、基礎部材１１と設置面Ｐとの接触面積の変動を抑え、安定性を高めることが可能となる。
【００３３】
また、連結部２０の中継部２２を、設置面Ｐに対して前後方向に傾斜させるようにしたので、本体部１の左右方向における強度を強くすることが可能となる。
【００３４】
更に、支持部材１２の回動機構収容部１２Ｃに回動機構３０を収容し、この回動機構３０に連結部２０の第２取付部２２を取り付けるようにしたので、回動機構３０を基礎部材１１の後方に配置することが可能となり、連結部２０に回動機構３０を組み込む必要がなくなる。よって、連結部２０を板状部材としてスリムな側面形状を持たせると共に、回動機構３０によって本体部１のチルト動作およびスイーベル動作を行わせることが可能となり、意匠性と機能性とを両立させることが可能となる。
【００３５】
（変形例１）
図６および図７は、変形例１に係る表示装置を背面側および側面側から見た外観をそれぞれ表したものである。また、図８は、図７に示した表示装置を、連結部２０の左右中心線で切断し、支持部材１２および回動機構３０の構成を表したものである。本変形例の表示装置は、基礎部材１１が、支持部材１２の上面全体を覆っていることを除いては、上記実施の形態と同様の構成、作用および効果を有している。
【００３６】
（変形例２）
図９および図１０は、変形例２に係る表示装置のスタンド２を背面側および側面側から見た外観をそれぞれ表したものである。本変形例の表示装置は、回動機構３０を、連結部２０の第１取付部２１に設けるようにしたことを除いては、上記変形例１と同様の構成、作用および効果を有している。
【００３７】
第１取付部２１は、本体部１の背面に固定される固定面２１Ａと、回動機構３０を収容する回動機構収容部２１Ｂとを有している。中継部２３は、例えば四角柱の形状を有している。中継部２３の上端には、回動機構３０が載置されている。中継部２３の下端が、基礎部１０に固定された第２取付部２２となっている。
【００３８】
中継部２３は、設置面Ｐに対して前後方向に傾斜していることが好ましい。これにより、本体部１を基礎部材１１の中央に配置して前後方向のバランスをとることが可能となる。
【００３９】
なお、本変形例は、上記実施の形態のように基礎部材１１が支持部材１２の上面の一部を覆っている場合にも適用可能である。
【００４０】
（変形例３）
図１１は、変形例３に係る表示装置のスタンド２を側面側から見た外観を表したものである。本変形例の表示装置は、中継部２３が設置面Ｐに対して垂直であることを除いては、上記変形例２と同様の構成、作用および効果を有している。
【００４１】
本変形例では、中継部２３を基礎部材１１の中央に、設置面Ｐに対して垂直に設けることが好ましい。これにより、本体部１を基礎部材１１の中央に配置して前後方向のバランスをとることが可能となる。
【００４２】
あるいは、例えば図１２に示したように、中継部２３を基礎部材１１の後方の辺１１Ｂ近傍に、設置面Ｐに対して垂直に設けることも可能である。この場合には、基礎部材１１の厚みを厚くして重心を下方におくことにより、本体部１を基礎部材１１の後方に配置して前後方向のバランスをとることが可能となる。
【００４３】
なお、中継部２３は、変形例２と同様に四角柱の形状を有していてもよいし、円柱などの他の形状を有していてもよい。
【００４４】
本変形例は、上記実施の形態のように基礎部材１１が支持部材１２の上面の一部を覆っている場合にも適用可能である。
【００４５】
（変形例４）
図１３は、変形例４に係る表示装置の一部を前面側から見た構成を表したものである。本変形例は、支持部材１２の前方の側面にセンサ部４０を設けるようにしたことを除いては、本変形例の表示装置は上記変形例１と同様の構成、作用および効果を有している。
【００４６】
センサ部４０は、透明板よりなる基礎部材１１を介して信号を送信または受信するものであり、具体的には、無線ＬＡＮの送受信部、または３Ｄ用のＩＲ（赤外線）エミッタにより構成されている。センサ部４０を本体部１の外部に設けることにより、センサ部４０の特性向上につなげることが可能となると共に、本体部１の小型化や狭額縁化を促進することも可能となる。また、基礎部材１１を透明板により構成することの利点を更に活かすことが可能となる。
【００４７】
なお、本変形例は、上記実施の形態のように基礎部材１１が支持部材１２の上面の一部を覆っている場合にも適用可能である。また、本変形例は、変形例２，３のように回動機構３０が連結部２０の第１取付部２１に設けられている場合にも適用可能である。
【００４８】
（変形例５）
図１４は、変形例５に係る表示装置の一部を側面側から見た構成を表したものである。
本変形例は、支持部材１２の右方の側面に、本体部１に付属する機器を脱着可能に収納する付属機器収納部５０を設けることにより、基礎部材１１の後方の空間を有効利用するようにしたものである。本体部１に付属する機器としては、具体的にはリモートコントローラー（遠隔操作機器）またはＡＣアダプタが挙げられる。このことを除いては、本変形例の表示装置は上記変形例１と同様の構成、作用および効果を有している。
【００４９】
なお、図１４では、付属機器収納部５０が支持部材１２の右方の側面に設けられている場合を表しているが、付属機器収納部５０は、支持部材１２の左方の側面に設けられることも可能であることは言うまでもない。
【００５０】
また、本変形例は、上記実施の形態のように基礎部材１１が支持部材１２の上面の一部を覆っている場合にも適用可能である。更に、本変形例は、変形例２，３のように回動機構３０が連結部２０の第１取付部２１に設けられている場合、または変形例４のように支持部材１２の前方の側面にセンサ部４０が設けられている場合にも適用可能である。
【００５１】
（変形例６）
図１５は、変形例６に係る表示装置の一部を前面側から見た外観を表したものである。本変形例の表示装置は、基礎部材１１にインジケータ６０が設けられていることを除いては、上記変形例１と同様の構成、作用および効果を有している。
【００５２】
インジケータ６０は、本体部１の電源オン／スタンバイなどの動作状態を表示するものであり、図１６に示したように、本体部１の下方端面のＬＥＤ発光部６１と、基礎部材１１の上面の反射部６２とを有している。ここでは、傾斜部材１１が前後方向に傾斜しているので、反射部６２を視認しやすくすることが可能となる。このようなインジケータは従来では本体部１の額縁部分（図１に示した外装部材１Ｃ）に設けられていたが、最近では超狭額縁化により、もはや本体部１にインジケータを設置不可能となってきている。本変形例では、このような場合にも基礎部材１１の傾斜を利用してインジケータ６０を設置可能となり、視聴者の利便性を高めることが可能となる。
【００５３】
なお、本変形例では、基礎部材１１にインジケータ６０を設けた場合について説明したが、インジケータ６０に加えて、またはインジケータ６０に代えて、基礎部材１１にキーボードなどの入力部を設けることも可能である。この場合にも、基礎部材１１が前後方向に傾斜しているので、入力作業を快適に行うことが可能になるという人間工学的な利点を有する。
【００５４】
本変形例は、上記実施の形態のように基礎部材１１が支持部材１２の上面の一部を覆っている場合にも適用可能である。また、本変形例は、変形例２，３のように回動機構３０が連結部２０の第１取付部２１に設けられている場合、変形例４のように支持部材１２の前方の側面にセンサ部４０が設けられている場合、または唖変形例５のように支持部材１２の左方または右方の側面に付属機器収納部５０が設けられている場合にも適用可能である。
【００５５】
以上、実施の形態を挙げて本技術を説明したが、本技術は上記実施の形態に限定されるものではなく、種々の変形が可能である。例えば、上記実施の形態では、表示パネル１Ａが液晶表示パネルである場合を例として説明したが、表示パネル１Ａは、液晶のほか、プラズマ，有機ＥＬ（Electroluminescence），無機ＥＬ，エレクトロデポジションもしくエレクトロクロミックなどの表示パネルでもよい。
【００５６】
また、例えば、上記実施の形態では、表示装置として薄型テレビジョン装置を例として説明したが、本開示は、テレビジョン装置に限らず、パーソナルコンピュータ等のモニター，カーナビゲーション装置などの表示装置、デジタルフォトフレームなど、他の電子機器にも適用可能である。また、絵画、看板など、平板状の支持対象物と、スタンドとを有する構造物にも広く適用可能である。
【００５７】
なお、本技術は以下のような構成を取ることも可能である。
（１）
本体部および前記本体部を設置面上において支持するスタンドを有し、
前記スタンドは、
板状の基礎部材を備え、前記基礎部材は、前方の辺で前記設置面に接していると共に前記設置面に対して前後方向に傾斜している基礎部と、
前記基礎部および前記本体部を結合する連結部と
を備えた表示装置。
（２）
前記連結部は、前記本体部側の第１取付部と、前記基礎部側の第２取付部との間に、中継部を有し、
前記中継部は、前記設置面に対して前後方向に傾斜している
前記（１）記載の表示装置。
（３）
前記連結部は、前記本体部側の第１取付部と、前記基礎部側の第２取付部との間に、中継部を有し、
前記中継部は、前記設置面に対して垂直である
前記（１）記載の表示装置。
（４）
前記連結部は、板状部材により構成されている
前記（１）ないし（３）のいずれか１項に記載の表示装置。
（５）
前記スタンドは、前記連結部の前記第１取付部または前記第２取付部に、前記本体部を俯仰方向および左右方向に回動させる回動機構を備えた
前記（２）ないし（４）のいずれか１項に記載の表示装置。
（６）
前記基礎部は、前記基礎部材の前方の辺以外の位置を支持する支持部材を備えた
前記（１）ないし（５）のいずれか１項に記載の表示装置。
（７）
前記支持部材は、前記回動機構を収容する回動機構収容部を有し、
前記連結部の第２取付部は、前記回動機構収容部部内に収容された前記回動機構に取り付けられている
前記（６）記載の表示装置。
（８）
前記支持部材は、左方または右方の側面に、前記本体部に付属する機器を脱着可能に収納する付属機器収納部を有する
前記（６）または（７）記載の表示装置。
（９）
前記基礎部材は透明板により構成され、
前記支持部材は、前方の側面に、前記基礎部材を介して信号を送信または受信するセンサ部を有する
前記（６）ないし（８）のいずれか１項に記載の表示装置。
（１０）
前記基礎部材に、前記本体部の動作状態を表示するインジケータが設けられている
前記（１）ないし（９）のいずれか１項に記載の表示装置。
（１１）
前記基礎部材はガラス板により構成されている
前記（１）ないし（１０）のいずれか１項に記載の表示装置。
【符号の説明】
【００５８】
１…本体部、１Ａ…表示パネル、２…スタンド、１０…基礎部、１１…基礎部材、１２…支持部材、１２Ｃ…回動機構収容部、２０…連結部、２１…第１取付部、２２…第２取付部、２３…中継部、３０…回動機構、３１…スイーベル機構、３２…チルト機構、４０…センサ部、５０…付属機器収納部、６０…インジケータ、Ｐ…設置面
【図１】
2012168435.tif 000003
【図２】
2012168435.tif 000004
【図３】
2012168435.tif 000005
【図４】
2012168435.tif 000006
【図５】
2012168435.tif 000007
【図６】
2012168435.tif 000008
【図７】
2012168435.tif 000009
【図８】
2012168435.tif 000010
【図９】
2012168435.tif 000011
【図１０】
2012168435.tif 000012
【図１１】
2012168435.tif 000013
【図１２】
2012168435.tif 000014
【図１３】
2012168435.tif 000015
【図１４】
2012168435.tif 000016
【図１５】
2012168435.tif 000017
【図１６】
2012168435.tif 000018